(57)【特許請求の範囲】
【請求項１】
内部に電子部品を内蔵するケーシングの防水構造において、電子部品を収納する樹脂製のケーシング本体と、このケーシング本体に溶着される樹脂製の蓋板とでケーシングが構成され、ケーシング本体に蓋板を取り付けた状態で蓋板を囲繞する周壁をケーシング本体に形成すると共に、蓋板の周縁を立ち上げてケーシングの周壁と対峙する周壁を蓋板に形成し、両周壁が対峙した状態で両周壁の先端側から加熱して溶融し、両周壁を相互に溶着することにより蓋板をケーシング本体に水密に溶着するものであって、上記ケーシング本体の内部空間が隔壁によって複数個の区画に分割されており、隔壁に上記周壁を１個設け、この隔壁に設けた１個の周壁を両側から２個の蓋体の周壁で挟んだ状態で３個の周壁を相互に溶着して、各区画を個別に水密構造とすることを特徴とするケーシングの防水構造。
【請求項２】
上記ケーシングは浴室内に設置される浴室テレビのケーシングであって、蓋板を浴室テレビの背面側に溶着して、溶着部分が正面から隠れるようにしたことを特徴とする請求項１に記載のケーシングの防水構造。
【発明の詳細な説明】
【技術分野】
【０００１】
本発明は、浴室テレビなどの、内部に電子部品を内蔵している電子機器のケーシングの防水構造に関する。
【背景技術】
【０００２】
上述のような浴室テレビでは、ケーシングの内部に湯水が浸入すると、内部の電子部品がショートして故障の原因となったり、モニタ部分が内側から曇ってテレビ画面の鑑賞に支障が生じるおそれがある。そのため、ケーシングを防水構造にする必要がある。
【０００３】
このような防水構造として、例えば電子部品が収納されるケーシング本体と、このケーシング本体に合わさる蓋体とを共に樹脂で形成し、両者が合わさる周縁部分に電熱線を挟み、その電熱線に通電することによってケーシング本体の周縁と蓋体の周縁とを同時に溶融させ、蓋体をケーシング本体に押し付けることによってケーシングと蓋体とを溶着させる防水構造が知られている（例えば、特許文献１参照）。
【先行技術文献】
【特許文献】
【０００４】
【特許文献１】特開２０１１−１６７９４６号公報（図４乃至図７）
【発明の概要】
【発明が解決しようとする課題】
【０００５】
上記従来のものでは、電熱線を加熱する際に電熱線が軸線方向に膨張して延びるため、特にケーシングの大きさが大きくなり電熱線が長くなると、電熱線が延びすぎてケーシングから外側に飛び出してしまうという不具合が生じる。なお、このような不具合を解消するため、上記特許文献１に記載された構造では電熱線の中央部分に線膨張分を吸収する折り曲げ部分を設けているが、この折曲部分を収納するための湾曲部をケーシングの内側に突出するように形成しなければならず、ケーシング内に収納する回路基板などのレイアウ
トを制限するという新たな不具合が生じる。
【０００６】
そこで本発明は、上記の問題点に鑑み、電熱線を使うことなく大型のケーシングでも防水効果を確保することのできるケーシングの防水構造を提供することを課題とする。
【課題を解決するための手段】
【０００７】
上記課題を解決するために本発明によるケーシングの防水構造は、内部に電子部品を内蔵するケーシングの防水構造において、電子部品を収納する樹脂製のケーシング本体と、このケーシング本体に溶着される樹脂製の蓋板とでケーシングが構成され、ケーシング本体に蓋板を取り付けた状態で蓋板を囲繞する周壁をケーシング本体に形成すると共に、蓋板の周縁を立ち上げてケーシングの周壁と対峙する周壁を蓋板に形成し、両周壁が対峙した状態で両周壁の先端側から加熱して溶融し、両周壁を相互に溶着することにより蓋板をケーシング本体に水密に溶着するものであって、上記ケーシング本体の内部空間が隔壁によって複数個の区画に分割されており、隔壁に上記周壁を１個設け、この隔壁に設けた１個の周壁を両側から２個の蓋体の周壁で挟んだ状態で３個の周壁を相互に溶着して、各区画を個別に水密構造とすることを特徴とする。
【０００８】
ケーシング本体側の周壁と蓋体側の周壁とを相互に溶着するので、防水性を確保することができる。なお、両周壁間に電熱線を挟み込まないので、電熱線が線膨張により飛び出すという従来の防水構造での不具合が生じない。
【０００９】
なお、上記ケーシング本体の内部空間が隔壁によって複数個の区画に分割されている場合に、隔壁に上記周壁を１個設け、この隔壁に設けた１個の周壁を両側から２個の蓋体の周壁で挟んだ状態で３個の周壁を相互に溶着して、各区画を個別に水密構造とする。
【００１０】
また、上記ケーシングは浴室内に設置される浴室テレビのケーシングであって、蓋板を浴室テレビの背面側に溶着して、溶着部分が正面から隠れるようにすることが望ましい。
【発明の効果】
【００１１】
以上の説明から明らかなように、本発明は、ケーシング本体と蓋体との間に電熱線を挟み込んでいないので、ケーシングが大型化しても電熱線が線膨張によりケーシングから飛び出すおそれがなく、確実に防水性を確保することができる。
【図面の簡単な説明】
【００１２】
【図１】本発明が適用される浴室テレビの正面図
【図２】浴室テレビの背面の状態を示す斜視図
【図３】溶着工程を示す断面図
【図４】蓋体を分割した場合の溶着工程を示す断面図
【発明を実施するための形態】
【００１３】
図１を参照して、１は本発明が適用される浴室テレビである。本浴室テレビ１には正面側に化粧パネル１１とスピーカカバー１２とが着脱自在に取り付けられている。図２を合わせて参照して、これら化粧パネル１１及びスピーカカバー１２は樹脂製のケーシング本体２と、同じく樹脂製の蓋体３とからなるケーシングに取り付けられている。
【００１４】
ケーシング本体２は前側に位置して図示しない回路基板その他の電子部品が収納されており、後方に開く開口を蓋体３が閉鎖している。このケーシング本体２と蓋体３とは蓋体３の全周部分で相互に溶着されており（Ｍは溶着部分を示す）、従って、溶着部分は完全な防水性を有している。
【００１５】
蓋体３をケーシング本体２に溶着する工程を、図３を参照して説明する。蓋体３の開口の周縁には周壁２１が形成されている。一方、蓋体３の周縁にも同様の周壁３１が形成されており、蓋体３をケーシング本体２の開口にセットすると、両周壁２１，３１は同図（ａ）に示すように相互に接触して対峙することになる。
【００１６】
その対峙した部分を上方から覆う型押し部４１を備えた溶着治具４を図示のようにセットする。この溶着治具４には図示しない複数個のセラミックヒータが適宜の間隔を存して取り付けられており、各セラミックヒータに通電すると型押し部４１が均一に加熱されるように構成されている。
【００１７】
図３（ａ）に示す、型押し部４１が両周壁２１，３１に当接せず上方に位置している状態で、セラミックヒータに通電を開始して型押し部４１の温度が、ケーシング本体２及び蓋体３を構成する樹脂の融点温度以上まで上昇すると、溶着治具４を下降させる。
【００１８】
すると、同図（ｂ）に示すように、型押し部４１が両周壁２１，３１の上部を溶融させ、溶融した樹脂が一体となり、溶着部Ｍが形成される。このように両周壁２１，３１が相互に溶着されると、セラミックヒータへの通電を停止して溶着治具４を冷却する。なお、この冷却の際に、溶着治具４に空気などの気体を吹き付けることにより冷却速度を上げるようにしてもよい。
【００１９】
型押し部４１の温度がケーシング本体２及び蓋体３を構成する樹脂の融点以下に冷却されると、溶着部Ｍは硬化して溶着構成が終了する。なお、上述の実施の形態では、１個のケーシング本体２に対して１個の蓋体３を溶着する場合について説明したが、ケーシング本体２の内部を、回路基板を収納する部分とスピーカを収納するスピーカボックスとに区画し、各区画毎に別々の蓋体を溶着する場合が考えられる。上述の浴室テレビ１では蓋体が３個になることになる。
【００２０】
このような場合には、図４に示すように、ケーシング本体２の区画部分に周壁２１を形成し、その周壁２１を挟むように２個の蓋体３Ａ，３Ｂをセットし、両蓋体３Ａ，３Ｂの各々に周壁３１を設けておけば、１個の周壁２１を２個の周壁３１で挟んだ状態で、３個の周壁２１，３１，３１を相互に溶着すればよい。
【００２１】
このように、本発明によれば、複数の区画されたケーシング本体に対して各区画毎に別個の蓋体を設け、それら複数の蓋体をケーシング本体に溶着させることができる。
【００２２】
なお、本発明は上記した形態に限定されるものではなく、本発明の要旨を逸脱しない範囲内において種々の変更を加えてもかまわない。
【符号の説明】
【００２３】
１ 浴室テレビ
２ ケーシング本体
３ 蓋体
３Ａ 蓋体
３Ｂ 蓋体
４ 溶着治具
２１ 周壁
３１ 周壁
Ｍ 溶着部
【要約】
【課題】電子部品が収納されるケーシング本体と、このケーシング本体に合わさる蓋体とを共に樹脂で形成し、両者が合わさる周縁部分に電熱線を挟み、その電熱線に通電することによってケーシング本体の周縁と蓋体の周縁とを同時に溶融させ、ケーシングと蓋体とを溶着させる防水構造が知られているが、電熱線を加熱する際に電熱線が軸線方向に膨張して延びるため、特にケーシングの大きさが大きくなると、電熱線が延びすぎてケーシングから外側に飛び出してしまう。
【解決手段】ケーシング本体に蓋板を取り付けた状態で蓋板を囲繞する周壁をケーシング本体に形成すると共に、蓋板の周縁を立ち上げてケーシングの周壁と対峙する周壁を蓋板に形成し、両周壁が対峙した状態で両周壁の先端側から加熱して溶融し、両周壁を相互に溶着する。
【選択図】  図２【図１】
0005777779.tif 000002
【図２】
0005777779.tif 000003
【図３】
0005777779.tif 000004
【図４】
0005777779.tif 000005